(57)【要約】      （修正有）【課題】既存什器に装着することによって、陳列の幅や高さを自由に変えられるフリーディスプレィ陳列補助具を提供する。【解決手段】衣料小売店の既存什器に汎用的に装着出来る支持体１と、支持体１を存什器に装着出来る上部と下部の取付体４と、支持体１に係止される商品を陳列する係止体２と、係止体２の高さを自由に設定して係止するストッパー３とから構成し、陳列する商品の幅や丈に合わせて陳列幅や高さを自由に設定して商品特性を活かした陳列をする。【選択図】図１
2013220345.tif 000002
【特許請求の範囲】
【請求項１】
既存什器に汎用的に装着できる支持体と、
該支持体を既存什器に装着出来る上部と下部の取付体と、
該支持体に係止される商品を陳列する係止体と、
係止体の高さを自由に設定して係止するストッパーと、から構成されている、
ことを特徴とするフリーディスプレィ陳列補助具。
【請求項２】
支持体は
既存什器の上梁と下梁に固定される後支持柱と、
該支持体の前方に後支持柱に平行して立設された前支持柱と、又は前々支持柱と、
該後支持柱と前支持柱又は前々支持柱との相互の下部を連結する下桟と、
該下桟と所定の間隔を開けて前支持柱又は前々支持柱の相互を連結する上桟と、
から構成されていることを特徴とする請求項１記載のフリーディスプレィ陳列補助具。
【請求項３】
係止体は、
前面の中央に縦配列された多数の係止孔が所定の間隔で開設されており、
後支持柱と前支持柱又は前々支持柱に夫々着脱自在に挿入係止される係止柱と、
該係止柱の上部の前面に溶接等の接合手段により水平方向又は傾斜方向に一体に突設形成されたフックと、から構成されていることを特徴とする請求項１記載のフリーディスプレィ陳列補助具。
【請求項４】
ストッパーは、
前記係止柱の外側に装着可能な枠形状の枠体と、
該枠体の短辺中央から内方に突設されて、係止柱前面の中央に所定の間隔で縦配列されて開設された多数の係止孔に係合係止されるストッパー片とから構成されており、
前記係止柱を前記後支持柱や前支持柱又は前々支持柱の夫々上端に係止させる事で前記係止体の高さを自由に設定することが出来、フックの高さを調整する事が出来る、ことを特徴とする請求項１記載のフリーディスプレィ陳列補助具。
【請求項５】
取付体は
前記後支持柱の背面上部に溶接等によって固定される上部取付体と、支持柱下桟と所定の間隔で設置されている上桟の間に可動可能な状態で設置されている下部取付体とから構成され、既存什器へ取付出来るように構成されていることを特徴とする請求項１記載のフリーディスプレィ陳列補助具。
【発明の詳細な説明】
【技術分野】
【０００１】本考案はフリーディスプレィ陳列補助具に関し、衣料小売店に於ける既存什器に汎用的に使用する事が出来、購買意欲を喚起して販売の促進が出来るフリーディスプレィ陳列補助具に関するものである。
【背景技術】
【０００２】従来使用されていた既存什器は、図２０、図２２、図２４、図２６に示すように、バブル時代に大量に陳列して販売の促進を図る為に開発されたもので、商品の一部しか見えない横掛けの陳列しか出来ないものや、商品を見せる陳列で有っても什器に押し込まれた窮屈な陳列で取り出しにくい陳列が多く、価値を求めるお客様にはその価値をアピールして購買を喚起することが出来ず、高齢化で欲しいものを探すことが難しくなっているお客様や、忙しくてゆっくり買物をする時間の無いお客様からは買物に手間が掛るとして来店の機会を減らされており、客数の低下による売上の低下は深刻な状況にある。【０００３】また、売上低下の中で費用削減の為に従業員の数を減らしている売場では商品管理が難しくなって来ており、適切な商品の仕入れ補充が出来ないことで品切れ等の機会損失が多く、加えて売れ残りの見切り処分等で経営を圧迫している。【０００４】さらに、バブル崩壊後の安売り競争で、経営利益が少ないことから消費の変化に対応した売場の改善費用が捻出できないことも売上低下の大きな要因となっている。
【発明の概要】
【発明が解決しようとするとする課題】
【０００５】このような従来技術の問題点に鑑み、本発明の主な目的は消費の変化に対応出来なくなって来ている衣料小売店の既存什器に装着することによって商品の良さをアピールし、陳列する商品の幅や丈に応じたゆとりの有る陳列で商品価値を高め、選びやすく買いやすい消費者ニーズにマッチした陳列に変えて販売の促進を図るフリーディスプレィ陳列補助具を提供することに有る。
【課題を解決する為の手段】
【０００６】このような目的は、本発明によれば、既存什器に汎用的に装着出来る支持体１と、該支持体を既存什器に装着出来る上部と下部の取付体４と、該支持体１に係止され商品を陳列する係止体２と、該支持体１に係止体２の高さを自由に設定して係止するストッパー３とから構成され、既存什器に装着することによって消費者ニーズに対応した売場への改善を図ることが出来る。
【発明の効果】
【０００７】このように本発明によれば、消費の変化に対応した売場への改善が出来ずに売上を落としている衣料小売店に於いて、売場の改善に掛る多大な費用を捻出が出来なくとも、本発明を既存什器に装着することでローコストによる消費者ニーズにマッチした改善で問題点の解決が出来る。
【０００８】すなわち、
（１）既存什器に装着することで消費者ニーズにマッチした付加価値の高い陳列と、欲しいものが選びやすく買いやすい売場への改善で販売の促進を図る事が出来る。
【０００９】（２）さらに、陳列する商品の幅や丈に合わせてゆとりの有る陳列が出来ることから商品特性を活かして付加価値をアップさせることが出来、取り出しやすく見やすい陳列で衝動買いを喚起して販売の促進を図ることが出来る。
【００１０】（３）さらに、陳列する商品の全てを２段又は３段の段違い陳列で前面からその良さをアピール出来、お客様の欲しいものが分り易い探す手間の掛らない陳列で客数を増やして販売の促進を図ることが出来る。
【００１１】（４）さらに、陳列スペースの大きい壁面の陳列等に於いて、後支持柱に装着される支持体を最大限に伸ばし、前々支持柱に装着される支持体を最大限に引き下げることによって陳列幅を大きくし、壁面の陳列に大きな効果を発揮することが出来る。
【００１２】（５）さらに、お客様に喜ばれる陳列に加えて、売れているものが一目で分かることから少人数でも効果的な売場管理が出来、品切れ防止や適切な商品補充によって販売の促進を図ることが出来る。
【００１３】（６）又、商品のグループ毎の括りが明確になることで、入荷した商品の陳列場所が分り易くなり、陳列作業を大幅に短縮することが出来る。
【図面の簡単な説明】
【００１４】
【図１】本発明のフリーディスプレィ陳列補助具の第一実施例の左側面図である。
【図２】同右側面図である。
【図３】同正面図である。
【図４】同背面図である。
【図５】同平面図である。
【図６】同底面図である。
【図７】第２実施例の斜視図である。
【図８】第１実施例の斜視図である。
【図９】第２実施例の支持体の斜視図である。
【図１０】第１実施例の支持体の斜視図である。
【図１１】係止体の斜視図である。
【図１２】係止体の縦断面図である。
【図１３】同ストッパーの斜視図である。
【図１４】ストッパーの縦断面図である。
【図１５】同上部取付体の使用状態の斜視図である。
【図１６】同下部取付体の使用状態の斜視図である。
【図１７】同上部係止体の縦断面図である。
【図１８】同下部係止体の縦断面図である。
【図１９】同係止ねじの斜視図である。
【図２０】既存什器使用参考図１である。
【図２１】同既存什器に第２実施例を使用した使用例１である。
【図２２】既存什器使用参考図２である。
【図２３】同既存什器に第２実施例を使用した使用例２である。
【図２４】既存什器使用参考図３である。
【図２５】同既存什器に第１実施例を使用した使用例３である。
【図２６】既存壁面陳列参考図である。
【図２７】同既存壁面スリットに第１実施例を使用した使用例４である。
【図２８】既存什器使用参考図２の左側面図である。
【図２９】既存什器使用参考図２の平面図である。
【００１５】次に本発明を添付の図面を参照にして特定の実施の形態について詳述する。
【実施例１】
【００１６】図１〜図６及び図８並びに図１０〜図１９及び図２５、図２７は本発明に基づくフリーディスプレィ陳列補助具の第一実施例を示している。【００１７】本発明のフリーディスプレィ陳列補助具１０は、衣料小売店の既存什器に装着する事が出来、陳列する商品を前面から分り易く、しかも多段陳列で多くの商品を選びやすく陳列することが出来るものである。【００１８】衣料小売店の既存什器に汎用的に装着出来る支持体１と、該支持体１を既存什器に装着出来る上部と下部の取付体４と、該支持体１に係止される商品を陳列する係止体２と、係止体２の高さを自由に設定して係止するストッパー３とから構成されている。【００１９】上記支持体１は、
既存什器の上梁と下梁とに固定される後支持柱１１と、該後支持柱１１の前方に後支持柱１１と平行に立設された前支持柱１２及び前々支持柱１３と、該後支持柱１１と前支持柱１２及び前々支持柱１３との相互の下端を連結する下桟１４と、該下桟１４と、所定の間隔を開けて後支持柱１１と前方支持柱１２及び前々支持柱１３の相互の上部を連結する上桟１５と、から構成されている。【００２０】前記係止体２は、
前面の中央に縦配列された多数の係止孔２２が所定の間隔で開設されており、後支持柱１１と、前支持柱１２及び前々支持柱１３に夫々着脱自在に挿入される係止柱２１の上部前面に溶接等の接合手段により水平又は傾斜方向に一体に突設されたフック２３とから構成されている。【００２１】前記ストッパー３は、
前記係止柱２１の外側に装着可能な形状の枠体３１と、該枠体の短辺中央から内方に突設されて、係止柱２１の前面中央に所定の間隔で縦配列されて開設された多数の係止孔２２に係合係止されるストッパー片３２とから構成されており、前記支持柱１１，１２，１３の上面が斜めに形成され、該斜端面に設置されることにより、係止柱２１を上下させることにより、自動的に係止孔２２に係合するように構成されており、前記係止柱２１を前記後支持柱１１や前支持柱１２又は前々支持柱１３のそれぞれの上端に係止させることで前記係止柱２１の高さを自由に設定することが出来、フック２３の高さを調整出来る。【００２２】前記取付体４は、前記後支持柱１１の背面上部に溶接等によって固定される上部取付体４１と、下桟１４と上桟１５の間に可動可能な状態で設置されている下部取付体４２から構成され、既存什器へ取付け出来るように構成されている。【００２３】該上部取付体４１は逆Ｕ字状の取付板４３の一端に係止ねじ４４が螺設されており、既存什器にねじ止めされる。【００２４】又、下部取付体４２は連続するコ字状断面の取付板４５のコ字状断面に係止ねじ４４が螺設されており、既存什器にねじ止めされ、さらに六角レンチによって締め付けることも出来る。
【実施例２】
【００２５】図７、図９、図２１、及び図２３は本発明のフリーディスプレィ陳列補助具の実施の形態の第二実施例を示す。【００２６】本実施例のフリーディスプレィ陳列補助具２０は、前記実施例が３段陳列なのに対して、本実施例は２段陳列である。【００２７】本実施例の支持体５は既存什器の上梁と下梁とに固定される後支持柱１１と、該支持柱１１の前方に後支持柱１１と平行に立設された前支持柱１２、及び後支持柱１１と前支持柱１２の相互の下を連結する下桟１４と該下桟１４と所定の間隔を開けて後支持柱１１と前支持柱１２を連結する上桟１５と、から構成されている。【００２８】尚、係止体２と、ストッパー３と、取付体４とは、前記第一実施例と同様である。【００２９】図２０の既存什器Ａは、バブル時代の主力陳列什器で、上梁ａに商品を横掛けにして陳列するもので、大量陳列が出来ても商品の良さを見せる前向きな陳列が出来ないので改善が求められている。本発明は、上梁ａと下梁ｂに第二実施例のフリーディスプレィ陳列補助具２０を装着することで図２１のように商品の良さが分かり選びやすい陳列に改善出来る。【００３０】図２２の既存什器Ｂは、バブル時代に開発された什器で上段Ｃがフェィスアウト陳列ながら陳列幅が左右のブラケットｄ，ｄによって狭められ、加えて下部が下段に陳列された商品の肩部に押し込まれ、窮屈な取り出しにくい陳列で改善が求められている。下段の商品の一部しか見えない陳列は図２０と同様で、改善が求められている。本発明は、上梁ｆと下梁ｇに第２実施例のフリーディスプレィ陳列補助具２０を装着することで図２３のように商品の良さが分る選びやすく買いやすい消費者ニーズにマッチした陳列に改善出来る。【００３１】図２４の既存什器Ｃは陳列アイテムを増やす為に２段型のフックを使用した３段陳列で、商品の前面が見える陳列ながらフックｈが目立って商品価値を落としており、加えて段差が少ない為に商品が取り出しにくく改善が求められている。本発明は、上梁ｊと下梁ｋにフリーディスプレィ陳列補助具１０を装着することで図２５のように商品の良さが良く分かる選びやすく買いやすい陳列に改善出来る。【００３２】図２６の既存壁面陳列は、壁面に設置されているスリット柱ｍに上梁ｎを取付け、フック１９を装着した上段と、下梁ｑにフックｒを装着した中段と、ブラケットｓに支持されたパイプｔに横掛けに陳列される下段の３段陳列で有るが、単調な陳列の上に中段の商品が図２８のように窮屈な陳列で見えにくく取り出しにくい為に改善が求められている。本発明は、壁面に設置されている既存のスリット柱ｍに上梁ｎと下梁ｑに第一実施例のフリーディスプレィ陳列補助具１０を装着することで図２７のように陳列の幅を広くして、壁面の高さを活かした選びやすく買いやすい陳列に改善出来る。【００３３】又、図２７に示すように、壁面陳列に於いて陳列の幅を広くしてボリュームの有る陳列を可能にする為に、後支持体１１に係合する係止柱２１を上方一杯に伸ばして係止し、前々支持柱１３に係合する係止柱２１を下方一杯に下げて係止することが出来、選びやすく買いやすい陳列に改善出来る。
【符号の説明】
【００３４】１    支持体
２    係止体
３    ストッパー
４    取付体
５    支持体
１０  フリーディスプレィ陳列補助具
１１  後支持柱
１２  前支持柱
１３  前々支持柱
１４  下桟
１５  上桟
２０  フリーディスプレィ陳列補助具
２１  係止柱
２２  係止孔
２３  フック
４１  上部取付体
５１  下部取付体
Ａ    既存什器
Ｂ    既存什器
Ｃ    既存什器
ａ    上梁
ｂ    下梁
ｃ    上段
ｄ    ブラケット
ｅ    ブラケット
ｆ    上梁
ｇ    下梁
ｈ    フック
ｊ    上梁
ｋ    下梁
ｍ    スリット柱
ｎ    上梁
ｐ    フック
ｑ    下梁
ｒ    ブラケット
ｓ    ブラケット
ｔ    パイプ
【図１】
2013220345.tif 000003
【図２】
2013220345.tif 000004
【図３】
2013220345.tif 000005
【図４】
2013220345.tif 000006
【図５】
2013220345.tif 000007
【図６】
2013220345.tif 000008
【図７】
2013220345.tif 000009
【図８】
2013220345.tif 000010
【図９】
2013220345.tif 000011
【図１０】
2013220345.tif 000012
【図１１】
2013220345.tif 000013
【図１２】
2013220345.tif 000014
【図１３】
2013220345.tif 000015
【図１４】
2013220345.tif 000016
【図１５】
2013220345.tif 000017
【図１６】
2013220345.tif 000018
【図１７】
2013220345.tif 000019
【図１８】
2013220345.tif 000020
【図１９】
2013220345.tif 000021
【図２０】
2013220345.tif 000022
【図２１】
2013220345.tif 000023
【図２２】
2013220345.tif 000024
【図２３】
2013220345.tif 000025
【図２４】
2013220345.tif 000026
【図２５】
2013220345.tif 000027
【図２６】
2013220345.tif 000028
【図２７】
2013220345.tif 000029
【図２８】
2013220345.tif 000030
【図２９】
2013220345.tif 000031